(57)【特許請求の範囲】
【請求項１】
第１継手（１１）、第２継手（１２）、２つの第１プレート本体（１３）及び２つの第２エネルギー散逸コンポーネントを含み、第１継手（１１）と第２継手（１２）は、フレーム内に取り付けられる２つの梁端にそれぞれ使用され、第１継手（１１）と第２継手（１２）は、ピン軸により取り付けられ、２つの第１プレート本体（１３）は、第２継手（１２）の前側と後側にそれぞれ位置しており、第２継手（１２）の側面と対応する第１プレート本体（１３）の一端との間には、複数のエネルギー散逸ロッド（１６）が配置され、第１プレート本体（１３）の他端は、第１継手（１１）の対応する側に取り付けられ、２つの第２エネルギー散逸コンポーネントは、第２継手（１２）の上側と下側にそれぞれ位置しており、第２エネルギー散逸コンポーネントは、２つの第２プレート本体（１４）を含み、２つの第２プレート本体（１４）は、フレーム内の上側壁と下側壁との取り付けにそれぞれ使用され、離間して配置される２つの第２プレート本体（１４）の間には、エネルギー散逸構造（１５）が配置される、ことを特徴とするフレーム内の塑性節点に使用される取り付け構造。
【請求項２】
エネルギー散逸構造（１５）は、波形エネルギー散逸プレート、円形エネルギー散逸プレート、三角形エネルギー散逸プレート及びエネルギー散逸ロッドのうちの１つである、ことを特徴とする請求項１に記載のフレーム内の塑性節点に使用される取り付け構造。
【請求項３】
ピン軸の軸線と第１プレート本体（１３）が垂直である、ことを特徴とする請求項１に記載のフレーム内の塑性節点に使用される取り付け構造。
【請求項４】
第１プレート本体（１３）と第１継手（１１）の側壁は、ボルトにより固定される、ことを特徴とする請求項１に記載のフレーム内の塑性節点に使用される取り付け構造。
【請求項５】
第２プレート本体（１４）は、ボルトによりフレーム内の梁端側壁に固定される、ことを特徴とする請求項１に記載のフレーム内の塑性節点に使用される取り付け構造。
【発明の詳細な説明】
【技術分野】
【０００１】
本発明は、塑性節点の力学的性質技術分野に関し、特にフレーム内の塑性節点に使用される取り付け構造に関する。
【背景技術】
【０００２】
組み立て式構造は、生産効率が高く、コンポーネントの品質が良好であり、建設廃棄物が少なく、資源及びエネルギーを節約するなどの利点を有し、優れた構造形式である。フレームシステムの重要な力伝達部分として、塑性節点は、優れた性能を持っていることを保証する必要がある。しかしながら、既存の組み立て式構造では、その塑性節点の力学的性質は、非線形段階での塑性発展を積極的に把握できず、構造の弱い部分となることが多く、エネルギー散逸や延性が悪いなどの問題がある。既存の塑性節点は、構造が複雑であり、又は塑性特性が制御できず、且つ塑性節点が塑性変形すると、塑性節点のせん断抵抗が大幅に弱まり、梁落下などの破壊事故が発生する可能性がある。
【先行技術文献】
【特許文献】
【０００３】
【特許文献１】中国特許出願公開第１０３２１６０１４号明細書
【０００４】
本発明は、複式中空鋼管コンクリートに適用する組み立て式フレーム構造節点を開示する。それは、ほぞ柱鋼管と橋脚鋼管を含み、橋脚鋼管内にコンクリートを注いで橋脚を形成する。ほぞ柱鋼管内にコンクリート又は鉄骨とコンクリートを注いでほぞ柱を形成する。該ほぞ柱は、同じ軸線で中空の橋脚鋼管内に係止され、且つほぞ柱の両端は、いずれも橋脚鋼管から突出し、前記ほぞ柱は、橋脚鋼管内に注がれたコンクリートにより橋脚内に固定され、前記橋脚の外壁での嵌合位置には、少なくとも１つの接合板設けられる。本発明の節点は、支持力が高く、構造がシンプルであり、加工が容易であるという特徴を有する。該節点に基づいて、新型組み立て式フレーム構造を形成する。この新型組み立て式構造は、複式中空鋼管コンクリートコンポーネントの利点を発揮し、応用と押し広めを促進できるだけでなく、中国の現在の組み立て式建築を大いに発展させるニーズも対応する。それは、施工進捗が速く、自重が小さく、支持力が高く、耐火性が良いという利点を有する。
【発明の概要】
【発明が解決しようとする課題】
【０００５】
前記技術問題の少なくとも１つを解決し、フレーム内の塑性節点のせん断抵抗を高め、エネルギー散逸能力を高めるために、本発明で採用される技術的解決手段は、以下のとおりである。
【課題を解決するための手段】
【０００６】
本発明は、第１継手、第２継手、２つの第１プレート本体及び２つの第２エネルギー散逸コンポーネントを含むフレーム内の塑性節点に使用される取り付け構造を提供し、第１継手と第２継手は、フレーム内に取り付けられる２つの梁端にそれぞれ使用され、第１継手と第２継手は、ピン軸により取り付けられ、２つの第１プレート本体は、第２継手の前側と後側にそれぞれ位置しており、第２継手の側面と対応する第１プレート本体の一端との間には、複数のエネルギー散逸ロッドが配置され、第１プレート本体の他端は、第１継手の対応する側に取り付けられ、２つの第２エネルギー散逸コンポーネントは、第２継手の上側と下側にそれぞれ位置しており、第２エネルギー散逸コンポーネントは、２つの第２プレート本体を含み、２つの第２プレート本体は、フレーム内の２つの梁端側壁との取り付けにそれぞれ使用され、２つの第２プレート本体の間には、エネルギー散逸構造が配置される。
【０００７】
さらに、エネルギー散逸構造は、波形エネルギー散逸プレート、円形エネルギー散逸プレート、三角形エネルギー散逸プレート及びエネルギー散逸ロッドのうちの１つである。
【０００８】
さらに、ピン軸の軸線と第１プレート本体は、垂直である。
【０００９】
さらに、第１プレート本体と第１継手の側壁は、ボルトにより固定される。
【００１０】
さらに、第２プレート本体は、ボルトによりフレーム内の梁端側壁に固定される。
【００１１】
有益な効果：２つの梁端は、第１継手、第２継手及びピン軸により取り付けられるように設計されており、第１プレート本体と第２継手との間には、エネルギー散逸ロッドを有し、フレーム内の２つの梁端には、エネルギー散逸構造が設計されており、それによりフレームの耐震エネルギー散逸性能を向上させる。本発明は、合理的な構造を有し、塑性節点の力学的性質技術分野で広く適用されることができる。
【図面の簡単な説明】
【００１２】
【図１】フレーム内の取り付け構造の構造図である。
【図２】取り付け構造の分解図である。
【図３】エネルギー散逸構造が円形エネルギー散逸プレートである第２エネルギー散逸コンポーネントの構造図である。
【図４】エネルギー散逸構造が三角形エネルギー散逸プレートである第２エネルギー散逸コンポーネントの構造図である。
【図５】エネルギー散逸構造がエネルギー散逸ロッドである第２エネルギー散逸コンポーネントの構造図である。
【発明を実施するための形態】
【００１３】
以下、図１〜図５を参照して本発明をさらに説明する。
【００１４】
本発明は、第１継手１１、第２継手１２、２つの第１プレート本体１３及び２つの第２エネルギー散逸コンポーネントを含むフレーム内の塑性節点に使用される取り付け構造に関する。第１継手１１と第２継手１２は、フレーム内に取り付けられる２つの梁端にそれぞれ使用され、第１継手１１と第２継手１２は、ピン軸により取り付けられる。ピン軸の存在により、塑性節点が塑性ヒンジを生成した後、そのせん断抵抗に影響を及ぼさず、梁落下を効果的に防止し、且つ取り付けが簡単であり、分解が容易である。
【００１５】
２つの第１プレート本体１３は、第２継手１２の前側と後側にそれぞれ位置しており、ピン軸の軸線と第１プレート本体１３が垂直である。第２継手１２の側面と対応する第１プレート本体１３の一端との間には、複数のエネルギー散逸ロッド１６が配置され、第２継手１２の前側と後側には、エネルギー散逸ロッド１６を取り付けるために使用される複数の第１取り付け穴がそれぞれ形成されており、第１プレート本体１３の他端は、第１継手１１の対応する側に取り付けられ、第１プレート本体１３と第１継手１１は、ボルトにより固定される。
【００１６】
２つの第２エネルギー散逸コンポーネントは、第２継手１２の上側と下側にそれぞれ位置しており、第２エネルギー散逸コンポーネントは、２つの第２プレート本体１４を含み、２つの第２プレート本体１４は、フレーム内の２つの梁端側壁の取り付けにそれぞれ使用され、第２プレート本体１４は、ボルトによりフレーム内の梁端側壁に固定される。２つの第２プレート本体１４の間には、エネルギー散逸構造１５が配置され、エネルギー散逸構造１５は、波形エネルギー散逸プレート、円形エネルギー散逸プレート、三角形エネルギー散逸プレート及びエネルギー散逸ロッドのうちの１つである。ここで、波形エネルギー散逸プレートは、プレートの曲げ変形によりエネルギーを散逸させ、円形エネルギー散逸プレートは主に、プレートの内に穴をあけることにより断面の弱化を実現し、三角形エネルギー散逸プレートは、中央の断面の収縮により断面の弱化を実現し、エネルギー散逸ロッドは、数量の迅速な調整によりエネルギー散逸能力の変化を実現する。
【００１７】
以上、図面を参照しながら本発明の実施形態を詳細に説明したが、本発明は、上記実施形態に限定されるものではなく、前記技術分野の当業者が有する知識の範囲内で、本発明の目的を逸脱することなく、さまざまな変更を行うことができる。
【要約】      （修正有）【課題】フレームの耐震エネルギー散逸性能を向上させるフレーム内の塑性節点に使用される取り付け構造を提供する。【解決手段】第１継手１１と第２継手は、フレーム内に取り付けられる２つの梁端にそれぞれ使用され、第１継手１１と第２継手は、ピン軸により取り付けられ、フレーム内の２つの梁端との取り付けにそれぞれ使用される第１プレート本体１３、第２プレート本体１４を含み、第２プレート本体１４には、間にエネルギー散逸構造が配置されている。【選択図】図１【図１】
0006867065.tif 000002
【図２】
0006867065.tif 000003
【図３】
0006867065.tif 000004
【図４】
0006867065.tif 000005
【図５】
0006867065.tif 000006